【事件の表示】
　特願２００３−５５５７７６「通信端末」拒絶査定不服審判事件〔平成１５年　７月　３日国際公開、ＷＯ０３／５５１８１、平成１７年　５月１２日国内公表、特表２００５−５１３９２０〕について、次のとおり審決する。
【結　論】
　本件審判の請求は、成り立たない。
【理　由】
第１．手続の経緯
　本願は、２００２年１２月５日（パリ条約による優先権主張外国庁受理２００１年１２月１３日、アメリカ合衆国）を国際出願日とする出願であって、平成１９年５月１日付で手続補正がなされたが、同年８月２日付で拒絶査定がされ、これに対し、同年１１月１２日に拒絶査定に対する審判請求がなされ、同日付で手続補正がなされたものである。
　
第２．補正却下の決定
［補正却下の決定の結論］
　平成１９年１１月１２日付の手続補正を却下する。
　
［理由］
１．本願発明と補正後の発明
　上記手続補正は、平成１９年５月１日付手続補正書の特許請求の範囲の請求項１に記載された、
　「携帯端末用のユーザインタフェースであって、
　前記ユーザインタフェースを制御するよう構成されたコントローラユニットと、
　その操作が前記コントローラユニットにより制御される第１および第２の操作キーと、
　ディスプレイと、を備え、
　前記端末は複数の状態をとることができ、ここで、それらの状態の特定のものに関連付けられる、前記操作キーの押下により実行可能な所定の操作のグループが、前記コントローラにより複数個定義されており、
　前記第１の操作キーは、前記コントローラユニットによって、前記端末がとる前記状態に依存してデフォルト機能として前記操作グループから１つの操作を実行するための専用とされ、
　前記ディスプレイは、前記第１の操作キーを押した場合に実行される現在の操作を表示するための専用の第１のエリアを有し、
　前記第２の操作キーは、前記コントローラユニットによって、前記端末がとる前記状態で使用することができる前記操作グループにアクセスするための専用とされ、さらに、
　ユーザが前記所定の操作のグループ内に含まれる操作間を移動し、それにより前記操作のうちの１つにマークを付けることができるよう構成されたスクロールキーと、
　押した場合に前記マークを付けた操作を選択するよう構成されたキーと、を備えることを特徴とするユーザインタフェース。」
という発明（以下、「本願発明」という。）を、
　「携帯端末用のユーザインタフェースであって、
　前記ユーザインタフェースを制御するよう構成されたコントローラユニットと、
　その操作が前記コントローラユニットにより制御される第１および第２の操作キーと、
　ディスプレイと、を備え、
　前記端末は複数の状態をとることができ、ここで、それらの状態の特定のものに関連付けられる、前記操作キーの押下により実行可能な所定の操作のグループが、前記コントローラにより複数個定義されており、
　前記第１および第２の操作キーはいずれもソフトキーであり、
　前記第１の操作キーは、前記コントローラユニットによって、前記端末がとる前記状態に依存してデフォルト機能として前記操作グループから１つの操作を実行するための専用とされ、
　前記ディスプレイは、前記第１の操作キーを押した場合に実行される現在の操作を表示するための専用の第１のエリアを有し、
　前記第２の操作キーは、前記コントローラユニットによって、前記端末がとる前記状態で使用することができる前記操作グループにアクセスするための専用とされ、さらに、
　ユーザが前記所定の操作のグループ内に含まれる操作間を移動し、それにより前記操作のうちの１つにマークを付けることができるよう構成されたスクロールキーと、
　押した場合に前記マークを付けた操作を選択するよう構成されたキーと、を備え、
　前記コントローラユニットは、状態変化イベントを検出すると、前記携帯端末が前記複数の状態のうち現在の状態がどれであるかを確認し、前記現在の状態で実行可能な前記操作グループを決定すると共に、いずれの状態であっても、前記第１の操作キーを前記決定した操作グループのデフォルト機能を実行する専用とし、前記第２の操作キーを前記決定した操作グループにアクセスするための専用とすることにより、前記ユーザインタフェースを制御するよう構成される、
ることを特徴とするユーザインタフェース。」
という発明（以下、「補正後の発明」という。）に変更することを含むものである。
　
２．新規事項の有無、補正の目的要件について
　上記補正は、願書に最初に添付した明細書又は図面に記載した事項の範囲内において、「第１および第２の操作キー」について「前記第１および第２の操作キーはいずれもソフトキーであり」と限定し、また、「コントローラユニット」について「前記コントローラユニットは、状態変化イベントを検出すると、前記携帯端末が前記複数の状態のうち現在の状態がどれであるかを確認し、前記現在の状態で実行可能な前記操作グループを決定すると共に、いずれの状態であっても、前記第１の操作キーを前記決定した操作グループのデフォルト機能を実行する専用とし、前記第２の操作キーを前記決定した操作グループにアクセスするための専用とすることにより、前記ユーザインタフェースを制御するよう構成される」と限定して、特許請求の範囲を減縮するものであるから、特許法第１７条の２第３項（新規事項）及び第４項第２号（補正の目的）の規定に適合している。
　
３．独立特許要件について
　上記補正は特許請求の範囲の減縮を目的とするものであるから、上記補正後の発明が特許出願の際、独立して特許を受けることができるものであるのかどうかについて以下に検討する。
　
（１）補正後の発明
　上記「１．本願発明と補正後の発明」の項で認定したとおりである。
　
（２）引用発明
　原審の拒絶理由に引用された特開２００１−２４５０３０号公報（以下、「引用例１」という。）には図面とともに以下の事項（イ）、（ロ）が記載されている。
　
　（イ）「【０００１】
【発明の属する技術分野】本発明は、携帯電話機におけるスクリーン画面設定方法及び該スクリーン画面設定方法を用いた携帯電話機に関し、特に複数のスクリーン画面の中から任意の画面を選択してスクリーン画面を変更できるよう構成したものである。」（２頁１欄３６行〜４１行）
　
　（ロ）「【００１２】
【発明の実施の形態】以下、本発明の実施の形態について、図１から図６を用いて説明する。
【００１３】図１は、本発明の実施の形態に係る非音声情報通信モード（例えばｉモード）機能を備える携帯電話機の構造を示す概略図である。図１において本発明の実施の形態に係る携帯電話機は、アンテナ１と、着信／充電ランプ２と、受話器３と、液晶表示器４と、電話帳ボタンを兼ねる左ソフトキー５と、通話開始ボタン６と、テンキー又はダイヤルキー７と、非音声情報通信モードにワープさせるワープキー８と、送話器９と、外部接続端子10と、ボイス／マナーキー11と、電源／終了／応答保留キー12と、リダイヤル／クリアボタンを兼ねる右ソフトキー13と、スクロール機能を兼ねて上下左右の各方向に表示を選択することができ、中心のボタンを押すことにより選択決定を行なうナビゲーションキー14と、イヤホンマイク端子15と、赤外線ポート16とを備えるようにしてある。
【００１４】図２は、上記構成の携帯電話機を実現するための回路ブロックを示すものである。図２において携帯電話機は、アンテナ１で受信した電波は無線通信部18の受信部（図示せず）で受けて、受信情報を制御部20に伝える。制御部20は受信した電話番号などの受信情報を液晶表示装置などの表示部４に表示する。
【００１５】また、制御部20は受信情報を音声情報に変換して受話部のスピーカ（受話器）３で音声出力する。また送話器（マイク）９は利用者の音声を受けて制御部20に伝え、無線通信部18の送信部（図示せず）とアンテナ１により通話相手先に無線送信する。制御部20はメモリ26に通話中の通話内容などの音声情報を記憶させ、あるいは記憶してある情報を読み出すようにしている。テンキー操作部22はテンキー７の操作によってダイヤル信号などを制御部20に入力し、またテンキー以外の機能キー操作部24は操作された機能キー、例えばナビゲーションキー14の操作を制御部20に入力するものである。
【００１６】メモリ26には予めスクリーン画面の静止画データあるいは動画データが記憶できるようにしてあるし、非音声情報通信モードによってダウンロードしたイラストやアニメーションの画像データを記憶できるようにしている。そして制御部20は待受けスクリーン画面や電源投入時のウェイクアップ用スクリーン画面の設定動作モードにおいて、表示部４に表示しているスクリーン画面を見ている状態で機能キー操作部24のナビゲーションキー14を操作してスクリーン画面を選択・決定できるようにしている。また、赤外線入出力部28は赤外線ポート16を介して赤外線信号のやり取りを行う。これらの回路ブロックは、図１の筺体内に収納されている。
【００１７】図３は、上記構成の携帯電話機の表示部４において、待合わせ時に表示されるアイコン画面の例を示している。この例においては、十字型にアイコン画面が表示されるようになっており、上から時計廻りにｉモードメインアイコン、ｉモードメールアイコン、電話帳アイコン、スクリーンアイコン、そして真中にメニューアイコンがそれぞれ表示され、選択されたアイコン画面が拡大表示されて、現在どのアイコン画面が選択されているかが分かるようになっている。
【００１８】図４及び図５は、本発明の実施形態を説明するための携帯電話機の表示画面の遷移を示すものである。本実施形態の非音声情報通信モード（例えばｉモード）機能を有する携帯電話機は、電源キー12を操作すれば待受け状態となり、表示部４に図３に示されるような５つのアイコン画面が表示される。
【００１９】この状態にあるときに、アイコン画面「スクリーン」を選択すると、図４（ａ）に示すように選択されたアイコンが拡大表示される。ここでナビキー14の決定キーを押すことによってスクリーン一覧画面を表示させるようにできる。
【００２０】次にナビキー14の下方または上方スクロールキーを操作して機能を選択する。図４（ｂ）は、反転表示されている「スクリーン表示」が機能選択されていることを示し、現在、スクリーン画面として選択されている図４（ｃ）のような「カレンダー」がスクリーン画面として表示される。
【００２１】ユーザが、現在、表示選択されているスクリーン画面、例えば上記した「カレンダー」を他のものに変えたいと望む場合には、図４（ｂ）と同じ画面である図４（ｄ）の画面で「スクリーン選択」を機能選択する。
【００２２】「スクリーン選択」を機能選択することにより、図４（ｅ）に示すような、登録されているスクリーン画面のリストがジャンル別に表示される。ここでは反転表示されている「イラスト」が選択されていることになるが、機能キー操作部24のナビゲーションキー14でスクロールして「時計」、「イラスト＋時計」、「カレンダー」に反転表示位置を移動して選択することができる。また、この「イラスト」にも登録番号が設定されており、ユーザが図４（ｅ）の上から２番目のような登録番号２番の「イラスト」を選択し、これをスクリーン画面として選択すれば次回から待受け時のスクリーン画面としてジャンルにおける「イラスト」の登録番号２番をスクリーン画面として表示させることができる。一方、イラストを表示した状態において、機能キー操作部24のナビゲーション14を操作したときには、図４（ｆ）のイラストを表示した状態から、図４（ｇ）「イラスト＋時計」のスクリーンに切り替わり、次いで、図４（ｃ）のカレンダーのスクリーン画面に切り替わるようにもしている。このようにすることにより図４（ｅ）では見られなかったスクリーン画面そのものを順次スクロールして、気に入った画面があればそれが表示されているときに選択・決定できるようにしている。
【００２３】また、本発明では、表示中のサイトや、画面メモに保存しておいて画面にＧＩＦ形式（Graphics Interchange Format）の画像があるときは、スクリーン画面の「イラスト」の画面として登録することができ、さらに表示中のサイトにＧＩＦ形式（Graphics Interchange Format）のアニメーションが流れている場合にもスクリーン設定が可能であり、これをスクリーン画面として利用することができる。以下、この機能について説明する。
【００２４】サイトを表示中に、左ソフトキー５を押すことにより、図５（ａ）のようなサブメニュー画面を表示させる。ここで、反転表示されている「スクリーン設定」を選択する。また「画面メモ」から設定するには、設定したい画面メモを表示し、左ソフトキー５を押して同じく「スクリーン設定」を選択する。
【００２５】「スクリーン設定」を選択したことを確定するために、ナビキー14の決定キーを押すと、画像を登録する画面になり、登録した画像があれば、それを表示することになる。図５（ｂ）は既に登録されている画像を表示する例を示している。
【００２６】また、ナビキー14の左方又は右方のスクロールキーを押して登録する画面に切り替え、図５（ｃ）のように上書きして良いイラスト又はアニメーションを選択し、そこに登録したいイラスト又はアニメーションを上書きする。
【００２７】そして最後にナビキー14の決定キーを押すと、図５（ｄ）のように設定完了の画面となる。以後、この設定したイラスト又はアニメーションをスクリーン画面として表示させることができるようになる。」（３頁３欄９行〜４頁５欄３７行）
　
　ａ．上記摘記事項（イ）、（ロ）、及び図面によれば、引用例１には「携帯電話機におけるスクリーン画面設定方法及び該スクリーン画面設定方法を用いた携帯電話機」が開示され、さらに、この携帯電話機がメニューアイコン等を表示する液晶表示器４、ユーザが操作する複数のキー、キー操作が入力される制御部20などの構成を備えていることも、引用例１には記載されている。これらの構成がユーザインタフェースであることは明らかであるから、引用例１には「携帯電話機用のユーザインタフェース」が開示されていると認められる。
　ｂ．上記摘記事項（ロ）の段落【００１４】、【００１５】、図２の記載からすれば、制御部20は、液晶表示器４の表示制御をするとともに、キー操作が入力されるものであるから、ユーザインタフェースを制御するように構成されているといえる。また、そのキーに機能キーである「ナビゲーションキー14（ナビキー14）」と「左ソフトキー５」とが含まれることも明らかであるから、技術常識を参酌すれば、これらのキーの操作が「制御部により制御される」ということもできる。
　ｃ．引用例１の携帯電話機は、図４（ａ）、（ｂ）、（ｄ）、（ｅ）、図５（ａ）に示されているように、それぞれ異なる操作のメニューが表示される複数の状態をとるものであることが分かるから、それぞれの状態において、すなわち、それらの状態の特定のものに関連付けられて、「スクリーン選択」、「スクリーン設定」などの操作の集合である、それぞれ異なる「所定の操作のグループ」が複数個定義されているといいうる。その定義は制御部20によってなされていることは技術常識より明らかである。また、上記摘記事項（ロ）には、各操作はナビゲーションキー14を構成する決定キーの押下により実行可能であることも記載されている。
　ｄ．上記摘記事項（ロ）の段落【００１９】、【００２５】には、携帯電話機がそれぞれの状態をとっているときに「ナビキー14の決定キーを押す」ことが記載されているが、決定キーを押すことによって、表示されている操作グループから１つの操作が実行されることは明らかである。また、ナビキー14の決定キーの押下によって操作が実行されるのは、操作グループが表示されている状態においてであるが、逆に言うとそのような状態にある場合にナビキー14の決定キーに操作の実行を指示する機能が設定されることとなるから、決定キーに対する機能の設定は状態に依存し、またその機能はその状態においてあらかじめ用意されている機能（デフォルト機能）である、実行を指示する機能が設定されるということができる。
　ｅ．上記摘記事項（ロ）の段落【００２４】には、「左ソフトキー５を押すことにより、図５（ａ）のようなサブメニュー画面を表示させる。」と記載されている。すなわち、ある状態において左ソフトキー５を押すと、その状態に対応付けられたサブメニューが表示されることになるから、左ソフトキー５は、「状態で使用することができる操作グループにアクセスするため」のものといえる。
　ｆ．上記摘記事項（ロ）の段落【００２０】、図４によれば、ナビゲーションキー14のスクロールキーは、「ユーザが前記所定の操作のグループ内に含まれる操作間を移動し、それにより前記操作のうちの１つにマークを付けることができるよう構成されたキー」である。
　ｇ．上記摘記事項（ロ）の段落【００１３】に記載されている「中心のボタン」は「ナビゲーションキー14の決定キー」であることは明らかであるが、この中心のボタンを押すことにより「選択決定」を行えることが記載されている。そして、さらに図５等も参酌すれば、ナビゲーションキー14の決定キーは、「押した場合にマークを付けた操作を選択するよう構成されたキー」であるといえる。
　ｈ．上記摘記事項（ロ）、図４、図５を参酌すれば、ナビゲーションキー14の決定キーや、左ソフトキー５を押すことにより表示画面が切り替わり、それまでとは異なる操作メニューが表示されるようになることから、キーの押下は「状態変化イベント」といえる。また、技術常識を参酌すれば、制御部20がイベントを検出して、状態確認をするとともに、現在の状態で実行可能な操作グループを決定して操作メニューの表示をするなどのユーザインタフェースの制御を行っていると認められる。
　
　したがって、これらの記載事項によると、引用例１には以下の発明（以下「引用発明１」という。）が記載されていると認められる。
　
　「携帯電話機用のユーザインタフェースであって、
　前記ユーザインタフェースを制御するよう構成された制御部と、
　その操作が前記制御部により制御されるナビゲーションキーの決定キーおよび左ソフトキーと、
　液晶表示器と、を備え、
　前記携帯電話機は複数の状態をとることができ、ここで、それらの状態の特定のものに関連付けられる、前記ナビゲーションキーの決定キーの押下により実行可能な所定の操作のグループが、前記制御部により複数個定義されており、
　前記左ソフトキーはソフトキーであり、
　前記ナビゲーションキーの決定キーは、前記制御部によって、前記携帯電話機がとる前記状態に依存してデフォルト機能として前記操作グループから１つの操作を実行するためのものとされ、
　前記左ソフトキーは、前記制御部によって、前記携帯電話機がとる前記状態で使用することができる前記操作グループにアクセスするためのものとされ、さらに、
　ユーザが前記所定の操作のグループ内に含まれる操作間を移動し、それにより前記操作のうちの１つにマークを付けることができるよう構成されたナビゲーションキーのスクロールキーと、
　押した場合に前記マークを付けた操作を選択するよう構成されたナビゲーションキーの決定キーと、を備え、
　前記制御部は、状態変化イベントを検出すると、前記携帯電話機が前記複数の状態のうち現在の状態がどれであるかを確認し、前記現在の状態で実行可能な前記操作グループを決定することにより、前記ユーザインタフェースを制御するよう構成される、
ユーザインタフェース。」
　
（３）対比・判断
　補正後の発明と引用発明１とを対比する。
　
　ａ．引用発明１の「携帯電話機」は、補正後の発明の「携帯端末」ないし「端末」に含まれるものである。また、補正後の発明の「ディスプレイ」は引用発明１の「液晶表示器」に一致し、補正後の発明の「コントローラユニット」ないし「コントローラ」は、インタフェースを制御する機能を有するから、引用発明１の「制御部」と一致している。
　ｂ．補正後の発明の「第１の操作キー」、「前記操作キー」は、操作を実行するための「操作実行キー」である点で、引用発明１の「ナビゲーションキーの決定キー」と一致している。また、補正後の発明の「（押した場合に前記マークを付けた操作を選択するよう構成された）キー」は、「操作選択キー」である点で、引用発明１の「ナビゲーションキーの決定キー」と一致している。
　ｃ．補正後の発明の「スクロールキー」は、引用発明１の「ナビゲーションキーのスクロールキー」と一致している。
　ｄ．補正後の発明の「第２の操作キー」は、端末がとる状態で使用することができる操作グループにアクセスするための「アクセスキー」である点で、引用発明１の「左ソフトキー」と一致している。
　
　したがって、補正後の発明と引用発明１は、以下の点で一致ないし相違している。
　
（一致点）
　「携帯端末用のユーザインタフェースであって、
　前記ユーザインタフェースを制御するよう構成されたコントローラユニットと、
　その操作が前記コントローラユニットにより制御される操作実行キーおよびアクセスキーと、
　ディスプレイと、を備え、
　前記端末は複数の状態をとることができ、ここで、それらの状態の特定のものに関連付けられる、前記操作実行キーの押下により実行可能な所定の操作のグループが、前記コントローラにより複数個定義されており、
　前記アクセスキーはソフトキーであり、
　前記操作実行キーは、前記コントローラユニットによって、前記端末がとる前記状態に依存してデフォルト機能として前記操作グループから１つの操作を実行するためのものとされ、
　前記アクセスキーは、前記コントローラユニットによって、前記端末がとる前記状態で使用することができる前記操作グループにアクセスするためのものとされ、さらに、
　ユーザが前記所定の操作のグループ内に含まれる操作間を移動し、それにより前記操作のうちの１つにマークを付けることができるよう構成されたスクロールキーと、
　押した場合に前記マークを付けた操作を選択するよう構成された操作選択キーと、を備え、
　前記コントローラユニットは、状態変化イベントを検出すると、前記携帯端末が前記複数の状態のうち現在の状態がどれであるかを確認し、前記現在の状態で実行可能な前記操作グループを決定することにより、前記ユーザインタフェースを制御するよう構成される、
ユーザインタフェース。」
　
（相違点１）
　「操作実行キー」に関し、補正後の発明では、「第１の操作キー」が「ソフトキー」であるのに対し、引用発明１では「ナビゲーションキーの決定キー」が「ソフトキー」であることが明確でない点。
　
（相違点２）
　補正後の発明では、「前記ディスプレイは、前記第１の操作キーを押した場合に実行される現在の操作を表示するための専用の第１のエリアを有し」とされているのに対し、引用発明１ではこの点が明確でない点。
　
（相違点３）
　「操作実行キー」と「アクセスキー」に関し、補正後の発明では、携帯端末がいずれの状態であっても、「第１の操作キー」と「第２の操作キー」の機能は「専用」とされているのに対し、引用発明１の「ナビゲーションキーの決定キー」と「左ソフトキー」ではこの点が明確でない点。
　
（相違点４）
　「操作実行キー」と「操作選択キー」に関し、補正後の発明ではそれぞれ異なる名称（「第１の操作キー」と「キー」）で記載され、別のキーであるとも解されるが、引用発明１では何れも「ナビゲーションキーの決定キー」であって、同一のものである点。
　
　まず、上記相違点１、２について検討する。
　原審の拒絶査定に引用された国際公開第９９／４５４５９号の第５図や、特開平７−２９７８８９号公報の【図２】に記載されているように、ソフトキーの機能の表示をソフトキーに対応した画面の最下段の位置に行うことは周知技術である。画面の最下段の位置は専らソフトキーの機能の表示しか行われていないから、「専用のエリア」と言える。
　一方、国際公開第９９／４５４５９号の第２頁１９行〜２０行には、「複数のアイコンを表示し、上記主ソフトキーの回転操作でいずれかを選択して押圧操作で決定する」と記載されている。この「回転操作でいずれかを選択して押圧操作で決定する」機能は、引用発明１の「ナビゲーションキー」の機能と一致するが、このような機能を有するキーをソフトキーとすることは、国際公開第９９／４５４５９号に開示されているように周知技術である。
　以上のことから、「ナビゲーションキーの決定キー（操作実行キー）」をソフトキーとし、ディスプレイに当該キーを押した場合に実行される現在の操作を表示するための専用のエリアを有するようにすることは、当業者であれば容易に想到し得たものと認められる。
　
　次に、上記相違点３について検討する。
　引用発明１において、「ナビゲーションキーの決定キー」は「選択決定」を行うキーであり（段落【００１３】）、引用例１全体にわたって、「選択決定」の機能が割り当てられた例のみが記載されている。したがって、引用発明１では少なくとも、「ナビゲーションキーの決定キー」の機能として、主として「選択決定」の機能が割り当てられることが開示されていると解釈できる。
　一方、「左ソフトキー」についても、電話帳ボタンと、サブメニュー表示のために使われることのみが記載されている（段落【００１３】、【００２４】等）。ここで技術常識を参酌すると、「電話帳ボタン」とは電話帳を表示するためのボタン、すなわち登録された電話番号のリストを表示するためのボタンであると考えられる。
　そうすると、少なくとも引用例１の開示の範囲では、「ナビゲーションキーの決定キー」と「左ソフトキー」とは共通する機能がなく、役割の分担がされているということができる。また、それぞれの機能も、「選択決定」と「リストやメニューの表示」であるから、専ら同種の機能のみでまとめられていると解釈できる。一方で、各々のキーにこれ以外にどのような機能が設定されるのか、あるいはどのような機能も設定しないのか、ということに関する記載はないが、ソフトキーにどのような機能を設定するかは設計事項であり、ユーザインタフェースの設計において一般的に要求される、使用者にわかりやすい構成とするということも考慮すれば、「ナビゲーションキーの決定キー」と「左ソフトキー」には他の機能を割り当てず、引用例１に開示された機能の専用として使用者にわかりやすいようにすることは、当業者であれば容易に想到し得たものと認められる。
　
　次に、上記相違点４について検討する。
　所定の機能を別のキーで行わせるか否かは設計事項である。
　
　以上のとおり、補正後の発明は引用発明１及び周知技術に基づいて容易に発明できたものであるから、特許法第２９条第２項の規定により、特許出願の際、独立して特許を受けることができないものである。
　
４．結語
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第３．本願発明について
１．本願発明
　平成１９年１１月１２日付の手続補正は上記のとおり却下されたので、本願発明は、上記「第２．補正却下の決定」の項中の「１．本願発明と補正後の発明」の項で「本願発明」として認定したとおりのものである。
　
２．引用発明
　引用発明は、上記「第２．補正却下の決定」の項中の「３．独立特許要件について」の項中の「（２）引用発明」の項で認定したとおりである。
　
３．対比・判断
　本願発明は上記補正後の発明から当該補正に係る限定を省いたものである。そうすると、本願発明の構成に当該補正に係る限定を付加した補正後の発明が、上記「第２．補正却下の決定」の項中の「３．独立特許要件について」の項で検討したとおり、引用発明１及び周知技術に基づいて容易に想到できたものであるから、本願発明も同様の理由により、容易に想到できたものである。
　
第４．むすび
　したがって、本願発明は、引用発明１及び周知技術に基づいて、当業者であれば容易に想到し得たものであるから、特許法第２９条第２項の規定により特許を受けることができない。
　よって、結論のとおり審決する。